(57)【要約】【課題】スループット低下を抑制しつつ、ＲＬＣ  ＰＤＵのシーケンス番号の長さを変更することができる技術を提供する。【解決手段】基地局と通信を行うユーザ装置であって、前記基地局から、ＲＬＣ  ＰＤＵのシーケンス番号長を変更する指示を受け付ける受付手段と、前記指示を受け付けた場合に、ＲＬＣエンティティの再確立処理を行う再確立手段と、前記再確立処理が完了した後、シーケンス番号長が変更されたＲＬＣ  ＰＤＵを用いて前記基地局と通信する通信手段と、を有し、前記指示は、セカンダリセルを追加又は削除する際にＲＬＣ  ＰＤＵのシーケンス番号長を１１ビット以上に変更する指示を含むユーザ装置を提供する。【選択図】図５
2019047510.tif 000002
【特許請求の範囲】
【請求項１】
基地局と通信を行うユーザ装置であって、
前記基地局から、ＲＬＣ  ＰＤＵのシーケンス番号長を変更する指示を受け付ける受付手段と、
前記指示を受け付けた場合に、ＲＬＣエンティティの再確立処理を行う再確立手段と、
前記再確立処理が完了した後、シーケンス番号長が変更されたＲＬＣ  ＰＤＵを用いて前記基地局と通信する通信手段と、
を有し、
前記指示は、セカンダリセルを追加又は削除する際にＲＬＣ  ＰＤＵのシーケンス番号長を１１ビット以上に変更する指示を含む、
ユーザ装置。
【請求項２】
前記指示は、上りリンクにおけるＲＬＣ  ＰＤＵのシーケンス番号長を変更する指示と、下りリンクにおけるＲＬＣ  ＰＤＵのシーケンス番号長を変更する指示との少なくとも一方を含み、
前記通信手段は、上りリンクにおけるＲＬＣ  ＰＤＵのシーケンス番号長を変更する指示を受けた場合、シーケンス番号長が変更された上りリンクにおけるＲＬＣ  ＰＤＵを用いて前記基地局と通信し、下りリンクにおけるＲＬＣ  ＰＤＵのシーケンス番号長を変更する指示を受けた場合、シーケンス番号長が変更された下りリンクにおけるＲＬＣ  ＰＤＵを用いて前記基地局と通信する、請求項１に記載のユーザ装置。
【請求項３】
前記基地局に、当該ユーザ装置がＲＬＣ  ＰＤＵのシーケンス番号長を変更する能力を有することを通知する通知手段、
を更に有する、請求項１又は２に記載のユーザ装置。
【請求項４】
前記指示は、ハンドオーバー処理を行うことを示す指示を更に含み、
前記再確立手段は、前記ハンドオーバー処理を行うことを示す指示を受けた場合に、ハンドオーバー処理を行うことで、ＲＬＣエンティティの再確立処理を行う、請求項１乃至３のいずれか一項に記載のユーザ装置。
【請求項５】
前記通信手段は、前記ハンドオーバー処理を行うことを示す指示及びＲＬＣ  ＰＤＵのシーケンス番号長を変更する指示を受けた場合、セカンダリセルを非アクティブ化せずにハンドオーバー処理を行う、請求項４に記載のユーザ装置。
【請求項６】
前記通信手段は、セカンダリセルを非アクティブ化せずにハンドオーバー処理を行う間、ディアクティベーションタイマーを停止させる、請求項５に記載のユーザ装置。
【請求項７】
ユーザ装置と通信を行う基地局であって、
前記ユーザ装置に、ＲＬＣ  ＰＤＵのシーケンス番号長を変更する指示を送信する送信手段と、
前記指示を送信した場合に、ＲＬＣエンティティの再確立処理を行う再確立手段と、
前記再確立処理が完了した後、シーケンス番号長が変更されたＲＬＣ  ＰＤＵを用いて前記ユーザ装置と通信する通信手段と、
を有し、
前記指示は、セカンダリセルを追加又は削除する際にＲＬＣ  ＰＤＵのシーケンス番号長を１１ビット以上に変更する指示を含む、
基地局。
【請求項８】
基地局とユーザ装置とを有する移動通信システムにおける通信方法であって、
前記基地局が、前記ユーザ装置に、ＲＬＣ  ＰＤＵのシーケンス番号長を変更する指示を送信するステップと、
前記ユーザ装置が、前記基地局から、前記指示を受け付けるステップと、
前記基地局が、ＲＬＣエンティティの再確立処理を行うステップと、
前記ユーザ装置が、ＲＬＣエンティティの再確立処理を行うステップと、
前記基地局が、ＲＬＣエンティティの再確立処理が完了した後、シーケンス番号長が変更されたＲＬＣ  ＰＤＵを用いて前記ユーザ装置と通信するステップと、
前記ユーザ装置が、ＲＬＣエンティティの再確立処理が完了した後、シーケンス番号長が変更されたＲＬＣ  ＰＤＵを用いて前記基地局と通信するステップと、
を有し、
前記指示は、セカンダリセルを追加又は削除する際にＲＬＣ  ＰＤＵのシーケンス番号長を１１ビット以上に変更する指示を含む、
通信方法。
【発明の詳細な説明】
【技術分野】
【０００１】
本発明は、ユーザ装置、基地局及び通信方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置に対して、接続性を担保する信頼性の高いセルであるＰＣｅｌｌ（Ｐｒｉｍａｒｙ  Ｃｅｌｌ：プライマリセル）及び付随的なセルであるＳＣｅｌｌ（Ｓｅｃｏｎｄａｒｙ  Ｃｅｌｌ：セカンダリセル）が設定される。ユーザ装置は、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置に対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置に対して設定された直後は、非アクティブ状態（ｄｅａｃｔｉｖａｔｅ状態）であるため、アクティブ化することで初めて通信可能（スケジューリング可能）となるセルである。
【０００５】
また、ＬＴＥシステムでは、ユーザ装置と基地局との間で行われる無線通信にＲＬＣ（Radio Link Control）を用いている。ＲＬＣは、無線ベアラごとに、複数の転送モードのうちいずれかの転送モードを設定することができる。具体的には、受信側からの送達確認信号に基づいて再送制御が行われるＲＬＣ−ＡＭ（RLC-Acknowledge Mode）と、再送制御が行われないＲＬＣ−ＵＭ（RLC-Un acknowledge Mode）と、ＲＬＣそのものを透過させるＴＭ（Transparent Mode）がある。ＲＬＣは、ユーザ装置側のＲＬＣエンティティと基地局側のＲＬＣエンティティとの間で、ＲＬＣ  ＰＤＵ（Protocol Data Unit）をやりとりすることで通信を行う。また、ＲＬＣ−ＡＭ及びＲＬＣ−ＵＭでは、ＲＬＣ  ＰＤＵのヘッダに付与されるシーケンス番号（ＳＮ：Sequence Number）を用いて、ＲＬＣ  ＰＤＵの重複検出及び順序補正を行っている。ＲＬＣのシーケンス番号の長さは、ＲＬＣ−ＡＭでは１０ビット、ＲＬＣ−ＵＭでは５ビット又は１０ビットであることが規定されている（例えば、非特許文献１参照）。
【先行技術文献】
【非特許文献】
【０００６】
【非特許文献１】３ＧＰＰ  ＴＳ３６．３２２  Ｖ１２．２．０（２０１５−０３）
【発明の概要】
【発明が解決しようとする課題】
【０００７】
従来のＬＴＥの仕様では、ユーザ装置あたりＣｏｎｆｉｇｕｒｅ可能なＣＣの数は、最大で５である一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣを束ねるＣＡが検討されている。最大で３２ＣＣを束ねるＣＡが行われることで、達成可能なピークレートが飛躍的に向上することが想定される。
【０００８】
ここで、ＲＬＣでは、重複検出及び順序補正を行うために、同時に送信可能なＲＬＣ  ＰＤＵ数を制限するウィンドウ制御が行われている。ウィンドウ制御により、同時に送信可能なＲＬＣ  ＰＤＵ数は最大シーケンス番号の半分に制限される。すなわち、ＣＡによりピークレートが飛躍的に向上したとしても、ＲＬＣで行われるウィンドウ制御がボトルネックになる可能性がある。従って、ＣＡにおいて束ねられるＣＣを拡張する場合、ＲＬＣで行われるウィンドウ制御がボトルネックにならないように、同時にＲＬＣの最大シーケンス番号を拡張させるのが望ましい。つまり、シーケンス番号の長さを１１ビット以上に拡張させるのが望ましい。
【０００９】
図１は、従来のＲＬＣ ＰＤＵフォーマットを示す図である。図１に示すＲＬＣ  ＰＤＵフォーマットは、ＲＬＣ―ＡＭで用いられるＰＤＵのフォーマットである。図１に示すように、シーケンス番号の長さは１０ビットであり、かつ予約領域が存在しないため、シーケンス番号の長さを１１ビット以上に拡張させるためには、ヘッダ部分（Ｄａｔａを除く部分）のデータサイズを１オクテット（１バイト）以上増加させる必要がある。
【００１０】
このように、ＲＬＣのシーケンス番号の長さを変更すると、ＲＬＣ  ＰＤＵのヘッダ部分のデータサイズが変更されることになる。従って、ＲＬＣのシーケンス番号の長さを変更する場合、変更前の短いシーケンス番号を含むＰＤＵを削除する（リセットする）ために、ＲＬＣエンティティの再確立処理（ＲＬＣ  ｒｅ−ｅｓｔａｂｌｉｓｈｍｅｎｔ）を行う必要がある。
【００１１】
現状のＬＴＥシステムでは、ハンドオーバー処理が行われる際にのみ、ＲＬＣエンティティの再確立処理が行われる。言い換えると、現状のＬＴＥシステムで規定されている処理を踏襲しつつ、ＲＬＣエンティティの再確立処理を行おうとすると、必ずハンドオーバー処理を行わなければならない。
【００１２】
また、現状のＬＴＥシステムでは、ハンドオーバー処理が行われると、全てのＳＣｅｌｌが一旦非アクティブ化（Ｄｅａｃｔｉｖａｔｅ）された状態に変更される。従って、ハンドオーバー処理後に再度全てのＳＣｅｌｌをアクティブ化（Ａｃｔｉｖａｔｅ）された状態に変更しなければならず、スループット低下の原因になる可能性がある。
【００１３】
開示の技術は上記に鑑みてなされたものであって、スループット低下を抑制しつつ、ＲＬＣ  ＰＤＵのシーケンス番号の長さを変更することができる技術を提供することを目的とする。
【課題を解決するための手段】
【００１４】
開示の技術のユーザ装置は、基地局と通信を行うユーザ装置であって、前記基地局から、ＲＬＣ  ＰＤＵのシーケンス番号長を変更する指示を受け付ける受付手段と、前記指示を受け付けた場合に、ＲＬＣエンティティの再確立処理を行う再確立手段と、前記再確立処理が完了した後、シーケンス番号長が変更されたＲＬＣ  ＰＤＵを用いて前記基地局と通信する通信手段と、を有し、前記指示は、セカンダリセルを追加又は削除する際にＲＬＣ  ＰＤＵのシーケンス番号長を１１ビット以上に変更する指示を含む。
【発明の効果】
【００１５】
開示の技術によれば、スループット低下を抑制しつつ、ＲＬＣ  ＰＤＵのシーケンス番号の長さを変更することができる技術が提供される。
【図面の簡単な説明】
【００１６】
【図１】従来のＲＬＣ ＰＤＵフォーマットを示す図である。
【図２】実施の形態に係る移動通信システムの構成例を示す図である。
【図３】実施の形態に係る基地局の機能構成の一例を示す図である。
【図４】実施の形態に係るユーザ装置の機能構成の一例を示す図である。
【図５】実施の形態に係る処理手順（その１）の一例を示すシーケンス図である。
【図６】実施の形態に係る処理手順（その２）の一例を示すシーケンス図である。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２又は１３以降に対応する通信方式も含む広い意味で使用する。
【００１８】
＜概要＞
図２は、実施の形態に係る移動通信システムの構成を示す図である。図２に示すように、本実施の形態における移動通信システムは、ユーザ装置ＵＥと基地局ｅＮＢとを含む移動通信システムであり、ユーザ装置ＵＥと基地局ｅＮＢとの間でＣＡ通信を行うことができる。
【００１９】
また、図２の例では、１つのセルが示されているが、これも図示の便宜上のものであり、ＣＡが設定される際には複数のセルが存在する。また、例えば、基地局ｅＮＢから離れた場所に、基地局ｅＮＢと光ファイバ等で接続されるＲＲＥが備えられる構成であってもよい。
【００２０】
基地局ｅＮＢは、無線を通じてユーザ装置ＵＥとの間で通信を行う。基地局ｅＮＢは、プロセッサなどのＣＰＵ、ＲＯＭ、ＲＡＭ又はフラッシュメモリなどのメモリ装置、ユーザ装置ＵＥ等と通信するためのアンテナ、隣接する基地局ｅＮＢ及びコアネットワーク等と通信するための通信インターフェース装置などのハードウェアリソースにより構成される。基地局ｅＮＢの各機能及び処理は、メモリ装置に格納されているデータやプログラムをプロセッサが処理又は実行することによって実現されてもよい。しかしながら、基地局ｅＮＢは、上述したハードウェア構成に限定されず、他の何れか適切なハードウェア構成を有してもよい。
【００２１】
ユーザ装置ＵＥは、無線を通じて基地局ｅＮＢ及びコアネットワーク等と通信を行う機能を有する。ユーザ装置ＵＥは、例えば、携帯電話、スマートフォン、タブレット、モバイルルータ、ウェアラブル端末などである。ユーザ装置ＵＥは、通信機能を有する機器であれば、どのようなユーザ装置ＵＥであってもよい。ユーザ装置ＵＥは、プロセッサなどのＣＰＵ、ＲＯＭ、ＲＡＭ又はフラッシュメモリなどのメモリ装置、基地局ｅＮＢと通信するためのアンテナ、ＲＦ（Radio Frequency）装置などのハードウェアリソースにより構成される。ユーザ装置ＵＥの各機能及び処理は、メモリ装置に格納されているデータやプログラムをプロセッサが処理又は実行することによって実現されてもよい。しかしながら、ユーザ装置ＵＥは、上述したハードウェア構成に限定されず、他の何れか適切なハードウェア構成を有してもよい。
【００２２】
本実施の形態における移動通信システムは、例えばＣＡにおいてＳＣｅｌｌを追加する際に、ピークレートを向上させるために、ＲＬＣ  ＰＤＵのシーケンス番号の長さを拡大するようにする。また、逆に、ＣＡにおいてＳＣｅｌｌを削除する際に、ＲＬＣ  ＰＤＵのデータサイズを削減するために、ＲＬＣ  ＰＤＵのシーケンス番号の長さを短くするようにする。また、ＲＬＣ  ＰＤＵのシーケンス番号の長さを変更する際に、既にＣＡに束ねられているＳＣｅｌｌを非アクティブ化しないようにする。
【００２３】
＜機能構成＞
（基地局）
図３は、実施の形態に係る基地局の機能構成の一例を示す図である。図３に示すように、基地局ｅＮＢは、信号送信部１１と、信号受信部１２と、ＲＲＣ処理部１３と、ＲＬＣ処理部１４と、ＭＡＣ（Media Access Control）処理部１５とを有する。なお、図３は、基地局ｅＮＢにおいて本発明の実施の形態に特に関連する機能部のみを示すものであり、少なくともＬＴＥに準拠した動作を行うための図示しない機能も有するものである。また、図３に示す機能構成は一例に過ぎない。本実施の形態に係る動作を実行できるのであれば、機能区分や機能部の名称はどのようなものでもよい。
【００２４】
信号送信部１１は、基地局ｅＮＢから送信されるべき上位のレイヤの信号から、物理レイヤの各種信号を生成し、無線送信する機能を含む。信号受信部１２は、ユーザ装置ＵＥから各種の信号を無線受信し、受信した物理レイヤの信号からより上位のレイヤの信号を取得する機能を含む。
【００２５】
ＲＲＣ処理部１３は、ユーザ装置ＵＥとの間でＲＲＣ信号の送受信を行い、ＲＲＣレイヤに関する各種処理を行う。また、ＲＲＣ処理部１３は、ユーザ装置ＵＥにＲＬＣ  ＰＤＵのシーケンス番号の長さの変更を指示する機能、ユーザ装置ＵＥにハンドオーバー処理を指示する機能、及びユーザ装置ＵＥにＳＣｅｌｌの追加又は削除を指示する機能を有する。また、ＲＲＣ処理部１３は、ユーザ装置ＵＥから、ユーザ装置ＵＥがＲＬＣ  ＰＤＵのシーケンス番号の長さを変更することが可能な能力を有することを示す情報（以下、「能力情報」という）を取得する機能を有する。
【００２６】
ＲＬＣ処理部１４は、ユーザ装置ＵＥとの間でＲＬＣ  ＰＤＵの送受信を行い、ＲＬＣレイヤに関する各種処理を行う。また、ＲＬＣ処理部１４は、ＲＲＣ処理部１３からの指示により、ＲＬＣエンティティの再確立処理（ＲＬＣ  Ｒｅ−ｅｓｔａｂｌｉｓｈｍｅｎｔ処理）を行い、変更前の短いシーケンス番号を含むＰＤＵを削除する（リセットする）機能を有する。また、ＲＬＣ処理部１４は、１１ビット以上のシーケンス番号が格納可能なＲＬＣ  ＰＤＵフォーマットを用いてＲＬＣ  ＰＤＵの送受信を行う機能を有する。
【００２７】
ＭＡＣ処理部１５は、ＭＡＣレイヤに関する各種処理を行う。また、ＭＡＣ処理部１５は、ユーザ装置ＵＥに、ＳＣｅｌｌのアクティブ化及び非アクティブ化を指示する機能を有する。
【００２８】
（ユーザ装置）
図４は、実施の形態に係る基地局の機能構成の一例を示す図である。図４に示すように、ユーザ装置ＵＥは、信号送信部２１と、信号受信部２２と、ＲＲＣ処理部２３と、ＲＬＣ処理部２４と、ＭＡＣ処理部２５とを有する。なお、図４は、ユーザ装置ＵＥにおいて本発明の実施の形態に特に関連する機能部のみを示すものであり、少なくともＬＴＥに準拠した動作を行うための図示しない機能も有するものである。また、図４に示す機能構成は一例に過ぎない。本実施の形態に係る動作を実行できるのであれば、機能区分や機能部の名称はどのようなものでもよい。
【００２９】
信号送信部２１は、ユーザ装置ＵＥから送信されるべき上位のレイヤの信号から、物理レイヤの各種信号を生成し、無線送信する機能を含む。信号受信部２２は、基地局ｅＮＢから各種の信号を無線受信し、受信した物理レイヤの信号からより上位のレイヤの信号を取得する機能を含む。
【００３０】
ＲＲＣ処理部２３は、基地局ｅＮＢとの間でＲＲＣ信号の送受信を行い、ＲＲＣレイヤに関する各種処理を行う。また、ＲＲＣ処理部２３は、基地局ｅＮＢからの指示によりＲＬＣ  ＰＤＵのシーケンス番号の長さを変更する機能、基地局ｅＮＢからの指示によりハンドオーバー処理を行う機能、基地局ｅＮＢからの指示によりＳＣｅｌｌの追加又は削除を行う機能を有する。また、ＲＲＣ処理部２３は、基地局ｅＮＢに対して能力情報を送信する機能を有する。
【００３１】
ＲＬＣ処理部２４は、基地局ｅＮＢとの間でＲＬＣ  ＰＤＵの送受信を行い、ＲＬＣレイヤに関する各種処理を行う。また、ＲＬＣ処理部２４は、ＲＲＣ処理部２３からの指示により、ＲＬＣエンティティの再確立処理（ＲＬＣ  Ｒｅ−ｅｓｔａｂｌｉｓｈｍｅｎｔ処理）を行い、変更前の短いシーケンス番号を含むＰＤＵを削除する（リセットする）機能を有する。また、ＲＬＣ処理部２４は、１１ビット以上のシーケンス番号が格納可能なＲＬＣ  ＰＤＵフォーマットを用いてＲＬＣ  ＰＤＵの送受信を行う機能を有する。
【００３２】
ＭＡＣ処理部２５は、ＭＡＣレイヤに関する各種処理を行う。また、ＭＡＣ処理部２５は、ＳＣｅｌｌのアクティブ化及び非アクティブ化を行う機能を有する。また、ＭＡＣ処理部２５は、非アクティブ化タイマ（Ｄｅａｃｔｉｖａｔｉｏｎ  Ｔｉｍｅｒ）を有しており、ＳＣｅｌｌにて一定時間通信が行われない場合、当該ＳＣｅｌｌを非アクティブ化する。また、ＭＡＣ処理部２５は、ＲＲＣレイヤによりハンドオーバー処理が行われる際に必ずＳＣｅｌｌを非アクティブ化するのではなく、必要に応じて、ＳＣｅｌｌを非アクティブ化しないようにする機能を有する。
【００３３】
＜処理手順＞
以下、図を用いて、実施の形態に係る移動通信システムにおいてＲＬＣ  ＰＤＵのシーケンス番号の長さが変更される場合の処理手順を説明する。
【００３４】
（その１）
図５は、実施の形態に係る処理手順（その１）の一例を示すシーケンス図である。本処理手順（その１）では、ハンドオーバー処理を行わずに、ＲＬＣエンティティの再確立処理が行われるようにする。
【００３５】
ステップＳ１０１で、ユーザ装置ＵＥのＲＲＣ処理部２３は、能力情報を含む能力通知信号を基地局ｅＮＢに送信する。基地局ｅＮＢのＲＲＣ処理部１３は、能力情報に基づいて、ユーザ装置ＵＥがＲＬＣ  ＰＤＵのシーケンス番号の長さを変更することが可能な能力を有するのか否かを把握する。なお、能力通知信号は、例えば、ＲＲＣ信号（例えば、ＵＥ  Ｃａｐａｂｉｌｉｔｙ  Ｉｎｆｏｒｍａｔｉｏｎ）であってもよいし、ＭＡＣ信号又は物理レイヤの信号であってもよい。また、予め基地局ｅＮＢとユーザ装置ＵＥとの間で、特定のＵＥカテゴリを予め定めておき、能力情報に当該特定のＵＥカテゴリが格納されるようにしてもよい。この場合、基地局ｅＮＢのＲＲＣ制御部１３は、当該特定のＵＥカテゴリに基づいて、ユーザ装置ＵＥがＲＬＣ  ＰＤＵのシーケンス番号の長さを変更することが可能な能力を有するのか否かを把握する。また、基地局ｅＮＢは、ユーザ装置ＵＥがＣＡで対応可能な最大ＣＣ数又は通信可能なＭＩＭＯ数などに応じて、ユーザ装置ＵＥがＲＬＣ  ＰＤＵのシーケンス番号の長さを変更することが可能な能力を有するのか否かを把握するようにしてもよい。
【００３６】
ステップＳ１０２で、基地局ｅＮＢのＲＲＣ制御部１３は、ＲＲＣ  ｃｏｎｎｅｃｔｉｏｎ  Ｒｅｃｏｎｆｉｇｕｒａｔｉｏｎ信号をユーザ装置ＵＥに送信する。ＲＲＣ  ｃｏｎｎｅｃｔｉｏｎ  Ｒｅｃｏｎｆｉｇｕｒａｔｉｏｎ信号には、ＳＣｅｌｌの追加／削除指示と、ＲＬＣ  ＰＤＵのシーケンス番号の長さを変更すべきことを指示する情報（以下、「シーケンス番号長変更指示」という）とが含まれる。
【００３７】
なお、シーケンス番号長変更指示は、例えば、２ビットで表されていてもよい。例えば、シーケンス番号の長さを従来のＬＴＥ仕様と同様にする場合はシーケンス番号長変更指示に「０」が設定され、拡張されたシーケンス番号の長さとする場合はシーケンス番号長変更指示に「１」が設定されるようにしてもよい。また、３ビット以上を用いて、シーケンス番号の長さを様々に変更できるようにしてもよい。また、シーケンス番号長変更指示は、上りリンクのＲＬＣ  ＰＤＵのシーケンス番号の長さと、下りリンクのＲＬＣ  ＰＤＵのシーケンス番号の長さとをそれぞれ別個に指示できるようにしてもよいし、どちらか一方のみを指示できるようにしてもよい。
【００３８】
ステップＳ１０３で、基地局ｅＮＢの信号送信部１１、信号受信部１２及びＲＬＣ処理部１４は、ステップＳ１０２の処理手順が行われたことに伴い、無線信号の送受信を一旦停止する。
【００３９】
ステップＳ１０４で、ユーザ装置ＵＥの信号送信部２１、信号受信部２２及びＲＬＣ処理部２４は、ステップＳ１０２の処理手順で、シーケンス番号長変更指示を受信したことに伴い、無線信号の送受信を一旦停止する。
【００４０】
ステップＳ１０５で、基地局ｅＮＢのＲＬＣ処理部１４は、ＲＬＣエンティティの再確立処理を行う。また、ＲＬＣ処理部１４は、ステップＳ１０２でユーザ装置ＵＥに送信したシーケンス番号長変更指示に対応するシーケンス番号の長さで、ＲＬＣ  ＰＤＵを生成するように処理方法を変更する。なお、ステップＳ１０２で、上りリンクのＲＬＣ  ＰＤＵのシーケンス番号の長さと、下りリンクのＲＬＣ  ＰＤＵのシーケンス番号の長さとが別個に指定されたシーケンス番号長変更指示をユーザ装置ＵＥに送信した場合、ＲＬＣ処理部１４は、上りリンクのＲＬＣ  ＰＤＵと下りリンクのＲＬＣ  ＰＤＵとを、それぞれ指示されたシーケンス番号の長さで生成するように処理方法を変更する。
【００４１】
ステップＳ１０６で、ユーザ装置ＵＥのＲＬＣ処理部２４は、ＲＬＣエンティティの再確立処理を行う。また、ＲＬＣ処理部２４は、ステップＳ１０２で基地局ｅＮＢから指示されたシーケンス番号長変更指示に対応するシーケンス番号の長さで、ＲＬＣ  ＰＤＵを生成するように処理方法を変更する。なお、ステップＳ１０２で、上りリンクのＲＬＣ  ＰＤＵのシーケンス番号の長さと、下りリンクのＲＬＣ  ＰＤＵのシーケンス番号の長さとが別個に指定されたシーケンス番号長変更指示を受信した場合、ＲＬＣ処理部２４は、上りリンクのＲＬＣ  ＰＤＵと下りリンクのＲＬＣ  ＰＤＵとを、それぞれ指示されたシーケンス番号の長さで生成するように処理方法を変更する。
【００４２】
ステップＳ１０７で、ユーザ装置ＵＥのＲＲＣ処理部２３は、ＲＬＣエンティティの再確立処理が完了したことを基地局ｅＮＢに通知するため、ＲＲＣ  ｃｏｎｎｅｃｔｉｏｎ  Ｒｅｃｏｎｆｉｇｕｒａｔｉｏｎ  ｃｏｍｐｌｅｔｅ信号を基地局ｅＮＢに送信する。
【００４３】
ステップＳ１０８で、ユーザ装置ＵＥの信号送信部２１、信号受信部２２及びＲＬＣ処理部２４は、ステップＳ１０７の処理手順で、例えば、ＲＲＣ  ｃｏｎｎｅｃｔｉｏｎ  Ｒｅｃｏｎｆｉｇｕｒａｔｉｏｎ  ｃｏｍｐｌｅｔｅ信号を送信したタイミングで、変更後のシーケンス番号の長さのＲＬＣ  ＰＤＵを用いて信号の送受信を開始する。
【００４４】
ステップＳ１０９で、基地局ｅＮＢの信号送信部１１、信号受信部１２及びＲＬＣ処理部１４は、ステップＳ１０７の処理手順で、例えば、ＲＲＣ  ｃｏｎｎｅｃｔｉｏｎ  Ｒｅｃｏｎｆｉｇｕｒａｔｉｏｎ  ｃｏｍｐｌｅｔｅ信号を受信したタイミングで、変更後のシーケンス番号の長さのＲＬＣ  ＰＤＵを用いて信号の送受信を開始する。
【００４５】
（その２）
図６は、実施の形態に係る処理手順（その２）の一例を示すシーケンス図である。本処理手順（その２）では、強制的にハンドオーバー処理を行うことで、従来のＬＴＥの機能を用いてＲＬＣエンティティの再確立処理が行われるようにすると共に、従来のＬＴＥの機能でハンドオーバー処理中に自動的に行われていたＳＣｅｌｌの非アクティブ化処理を抑止するようにする。なお、特に言及しない点については図５と同一でよい。
【００４６】
ステップＳ２０１の処理手順は、図５のステップＳ１０１の処理手順と同一であるため説明は省略する。
【００４７】
ステップＳ２０２で、基地局ｅＮＢのＲＲＣ制御部１３は、ＲＲＣ  ｃｏｎｎｅｃｔｉｏｎ  Ｒｅｃｏｎｆｉｇｕｒａｔｉｏｎ信号をユーザ装置ＵＥに送信する。ＲＲＣ  ｃｏｎｎｅｃｔｉｏｎ  Ｒｅｃｏｎｆｉｇｕｒａｔｉｏｎ信号には、ＳＣｅｌｌの追加／削除指示と、Ｉｎｔｒａ−ｃｅｌｌ  ＨＯ（Hand Over）指示と、シーケンス番号長変更指示とが含まれる。
【００４８】
ステップＳ２０３及びステップＳ２０４の処理手順は、それぞれ図５のステップＳ１０３及びステップＳ１０４の処理手順と同一であるため説明は省略する。
【００４９】
ステップＳ２０５で、基地局ｅＮＢのＲＬＣ処理部１４は、Ｉｎｔｒａ−ｃｅｌｌ  ＨＯ処理を起動させることで、ＲＬＣエンティティの再確立処理を行う。また、ＲＬＣ処理部１４は、ステップＳ２０２でユーザ装置ＵＥに送信したシーケンス番号長変更指示に対応するシーケンス番号の長さで、ＲＬＣ  ＰＤＵを生成するように処理方法を変更する。なお、ステップＳ２０２で、上りリンクのＲＬＣ  ＰＤＵのシーケンス番号の長さと、下りリンクのＲＬＣ  ＰＤＵのシーケンス番号の長さとが別個に指定されたシーケンス番号長変更指示をユーザ装置ＵＥに送信した場合、ＲＬＣ処理部１４は、上りリンクのＲＬＣ  ＰＤＵと下りリンクのＲＬＣ  ＰＤＵとを、それぞれ指示されたシーケンス番号の長さで生成するように処理方法を変更する。
【００５０】
ステップＳ２０６で、ユーザ装置ＵＥのＲＬＣ処理部２４は、Ｉｎｔｒａ−ｃｅｌｌ  ＨＯ処理を起動させることで、ＲＬＣエンティティの再確立処理を行う。また、ＲＬＣ処理部２４は、ステップＳ２０２で基地局ｅＮＢから指示されたシーケンス番号長変更指示に対応するシーケンス番号の長さで、ＲＬＣ  ＰＤＵを生成するように処理方法を変更する。なお、ステップＳ２０２で、上りリンクのＲＬＣ  ＰＤＵのシーケンス番号の長さと、下りリンクのＲＬＣ  ＰＤＵのシーケンス番号の長さとが別個に指定されたシーケンス番号長変更指示を受信した場合、ＲＬＣ処理部２４は、上りリンクのＲＬＣ  ＰＤＵと下りリンクのＲＬＣ  ＰＤＵとを、それぞれ指示されたシーケンス番号の長さで生成するように処理方法を変更する。
【００５１】
また、ステップＳ２０６におけるＩｎｔｒａ−ｃｅｌｌ  ＨＯ処理において、ユーザ装置ＵＥのＭＡＣ処理部２５は、既にＣＡ中のＳＣｅｌｌを非アクティブ化しないように制御する。なお、ＭＡＣ処理部２５は、Ｉｎｔｒａ−ｃｅｌｌ  ＨＯ処理を行っている間、一時的に非アクティブ化タイマ（Ｄｅａｃｔｉｖａｔｉｏｎ  Ｔｉｍｅｒ）の動作を停止させるようにしてもよい。これにより、Ｉｎｔｒａ−ｃｅｌｌ  ＨＯ処理を行っている間に、当該タイマが満了することによりＳＣｅｌｌが非アクティブ化されてしまうことを防ぐことができる。
【００５２】
また、ＭＡＣ処理部２５は、ＨＯ処理が完了したことを検出し、非アクティブ化タイマの動作を再開させるようにしてもよい。また、基地局ｅＮＢからの指示により非アクティブ化タイマの動作が再開されるようにしてもよい。また、ユーザ装置ＵＥがＰＤＣＣＨ（Physical Downlink Control Channel）を受信した契機で、ＭＡＣ処理部２５は、非アクティブ化タイマの動作を再開させるようにしてもよい。
【００５３】
また、ステップＳ２０６の処理手順において、ユーザ装置ＵＥのＭＡＣ処理部２５は、既にＣＡ中のＳＣｅｌｌのうち、一部のＳＣｅｌｌのみを非アクティブ化しないように制御するようにしてもよい。例えば、ＭＡＣ処理部２５は、ＣｅｌｌＩｎｄｅｘ又はＳＣｅｌｌＩｎｄｅｘが所定の値よりも大きい（又は小さい）ＳＣｅｌｌのみを非アクティブ化しないように制御してもよい。また、ＭＡＣ処理部２５は、ＳＣｅｌｌにＬＡＡ（License Assisted Access）セルが含まれている場合、ＬＡＡセル以外のＳＣｅｌｌ（すなわち、ライセンス周波数帯のセル）のみを非アクティブ化しないように制御するようにしてもよい。なお、ＬＡＡセルとは、Ｌｉｓｔｅｎ  ｂｅｆｏｒｅ  Ｔａｌｋ機能が動作しているセル、又は、アンライセンス周波数帯のセルなどを意味する。
【００５４】
ステップＳ２０７乃至ステップＳ２０９の処理手順は、それぞれ図５のステップＳ１０７乃至ステップＳ１０９の処理手順と同一であるため説明は省略する。
【００５５】
＜まとめ＞
以上、説明したように、実施の形態によれは、基地局と通信を行うユーザ装置であって、前記基地局から、ＲＬＣ  ＰＤＵのシーケンス番号長を変更する指示を受け付ける受付手段と、前記指示を受け付けた場合に、ＲＬＣエンティティの再確立処理を行う再確立手段と、前記再確立処理が完了した後、シーケンス番号長が変更されたＲＬＣ  ＰＤＵを用いて前記基地局と通信する通信手段と、を有し、前記指示は、セカンダリセルを追加又は削除する際にＲＬＣ  ＰＤＵのシーケンス番号長を１１ビット以上に変更する指示を含むユーザ装置が提供される。このユーザ装置ＵＥにより、スループット低下を抑制しつつ、ＲＬＣ  ＰＤＵのシーケンス番号の長さを変更することができる技術が提供される。
【００５６】
また、前記指示は、上りリンクにおけるＲＬＣ  ＰＤＵのシーケンス番号長を変更する指示と、下りリンクにおけるＲＬＣ  ＰＤＵのシーケンス番号長との少なくとも一方を変更する指示を含み、前記通信手段は、上りリンクにおけるＲＬＣ  ＰＤＵのシーケンス番号長を変更する指示を受けた場合、シーケンス番号長が変更された上りリンクにおけるＲＬＣ  ＰＤＵを用いて前記基地局と通信し、下りリンクにおけるＲＬＣ  ＰＤＵのシーケンス番号長を変更する指示を受けた場合、シーケンス番号長が変更された下りリンクにおけるＲＬＣ  ＰＤＵを用いて前記基地局と通信するようにしてもよい。この構成により、上りリンクのピークレートと下りリンクのピークレートとが異なる場合に、例えば下りリンクのＲＬＣ  ＰＤＵのみシーケンス番号の長さを変更することができる。その結果、ＲＬＣ  ＰＤＵのヘッダ部分のサイズが大きくなることに伴う通信全体のデータ量の増加を抑制することができる。
【００５７】
また、前記基地局に、当該ユーザ装置がＲＬＣ  ＰＤＵのシーケンス番号長を変更する能力を有することを通知する通知手段、を更に有するようにしてもよい。この構成により、ユーザ装置ＵＥは、基地局ｅＮＢに対して、自身がＲＬＣ  ＰＤＵのシーケンス番号の長さを変更する能力を有する場合にのみ、ＲＬＣ  ＰＤＵのシーケンス番号の長さを変更させることが可能になる。
【００５８】
また、前記指示は、ハンドオーバー処理を行うことを示す指示を更に含み、前記再確立手段は、前記ハンドオーバー処理を行うことを示す指示を受けた場合に、ハンドオーバー処理を行うことで、ＲＬＣエンティティの再確立処理を行うようにしてもよい。この構成により、従来のＬＴＥの機能を流用しつつ、ＲＬＣエンティティの再確立処理を行うことが可能になる。
【００５９】
また、前記通信手段は、前記ハンドオーバー処理を行うことを示す指示及びＲＬＣ  ＰＤＵのシーケンス番号長を変更する指示を受けた場合、セカンダリセルを非アクティブ化せずにハンドオーバー処理を行うようにしてもよい。この構成により、基地局ｅＮＢ及びユーザ装置ＵＥは、ＳＣｅｌｌを再度アクティブ化するための処理を行う必要がなくなり、スループットの低下を抑止することができる。
【００６０】
また、前記通信手段は、セカンダリセルを非アクティブ化せずにハンドオーバー処理を行う間、ディアクティベーションタイマーを停止させるようにしてもよい。この構成により、Ｉｎｔｒａ−ｃｅｌｌ  ＨＯ処理を行っている間に、当該タイマが満了することによりＳＣｅｌｌが非アクティブ化されてしまうことを防ぐことができる。
【００６１】
また、本実施の形態によれば、ユーザ装置と通信を行う基地局であって、前記ユーザ装置に、ＲＬＣ  ＰＤＵのシーケンス番号長を変更する指示を送信する送信手段と、前記指示を送信した場合に、ＲＬＣエンティティの再確立処理を行う再確立手段と、前記再確立処理が完了した後、シーケンス番号長が変更されたＲＬＣ  ＰＤＵを用いて前記ユーザ装置と通信する通信手段と、を有し、前記指示は、セカンダリセルを追加又は削除する際にＲＬＣ  ＰＤＵのシーケンス番号長を１１ビット以上に変更する指示を含む基地局が提供される。この基地局ｅＮＢにより、スループット低下を抑制しつつ、ＲＬＣ  ＰＤＵのシーケンス番号の長さを変更することができる技術が提供される。
【００６２】
また、本実施の形態によれば、基地局とユーザ装置とを有する移動通信システムにおける通信方法であって、前記基地局が、前記ユーザ装置に、ＲＬＣ  ＰＤＵのシーケンス番号長を変更する指示を送信するステップと、前記ユーザ装置が、前記基地局から、前記指示を受け付けるステップと、前記基地局が、ＲＬＣエンティティの再確立処理を行うステップと、前記ユーザ装置が、ＲＬＣエンティティの再確立処理を行うステップと、前記基地局が、ＲＬＣエンティティの再確立処理が完了した後、シーケンス番号長が変更されたＲＬＣ  ＰＤＵを用いて前記ユーザ装置と通信するステップと、前記ユーザ装置が、ＲＬＣエンティティの再確立処理が完了した後、シーケンス番号長が変更されたＲＬＣ  ＰＤＵを用いて前記基地局と通信するステップと、を有し、前記指示は、セカンダリセルを追加又は削除する際にＲＬＣ  ＰＤＵのシーケンス番号長を１１ビット以上に変更する指示を含む通信方法が提供される。この通信方法により、スループット低下を抑制しつつ、ＲＬＣ  ＰＤＵのシーケンス番号の長さを変更することができる技術が提供される。
【００６３】
＜実施形態の補足＞
以上実施の形態おいて、ＳＣｅｌｌの追加／削除を行う場合に、シーケンス番号の長さを変更するようにしたが、これに限られない。例えば、ステップＳ１０２又はステップＳ２０２の処理手順において、ＲＲＣ  ｃｏｎｎｅｃｔｉｏｎ  Ｒｅｃｏｎｆｉｇｕｒａｔｉｏｎ信号にＳＣｅｌｌの追加／削除指示が含まれないようにしてもよい。これにより、任意のタイミングでＲＬＣ  ＰＤＵのシーケンス番号の長さを変更することができる。
【００６４】
本実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００６６】
本発明は上記実施形態に限定されず、本発明の精神から逸脱することなく、様々な変形例、修正例、代替例、置換例等が本発明に包含される。
【００６７】
なお、実施の形態において、ＲＲＣ処理部２３は、受付手段の一例である。ＲＬＣ処理部２４は、再確立手段の一例である。信号送信部２１、信号受信部２２及びＲＬＣ処理部２４は、通信手段の一例である。ＲＲＣ処理部２３は、能力通知手段の一例である。信号送信部１１及びＲＲＣ処理部１３は、送信手段の一例である。ＲＬＣ処理部１４は、再確立手段の一例である。信号送信部１１、信号受信部１２及びＲＬＣ処理部１４は、通信手段の一例である。
【符号の説明】
【００６８】
ＵＥ  ユーザ装置
ｅＮＢ  基地局
１１  信号送信部
１２  信号受信部
１３  ＲＲＣ処理部
１４  ＲＬＣ処理部
１５  ＭＡＣ処理部
２１  信号送信部
２２  信号受信部
２３  ＲＲＣ処理部
２４  ＲＬＣ処理部
２５  ＭＡＣ処理部
【図１】
2019047510.tif 000003
【図２】
2019047510.tif 000004
【図３】
2019047510.tif 000005
【図４】
2019047510.tif 000006
【図５】
2019047510.tif 000007
【図６】
2019047510.tif 000008